(57)【特許請求の範囲】
【請求項１】
ピラーガーニッシュ本体の縦長板状の主部に開口部を設け、且つ該主部の裏面側で、該開口部の両側縁沿いに爪を複数立設して、該爪単独で又は該爪と該主部とで開口部側に凹部を形成する一方、該凹部にスライドプレートの側縁部を挿入して、該スライドプレートが該開口部を塞いで保持され且つ摺動可能とするピラーガーニッシュにおいて、
該開口部の開口縁又は該開口部の近くの主部から延設される舌片状体と、該舌片状体の先端部分に設けられる係合部と、該舌片状体の基端に対し、前記開口部側とは反対側の主部裏面域に設けられる被係合部と、を具備し、且つ前記係合部を該被係合部に係止し前記舌片状体を反り返らせ、その反り返った舌片状体の腹部のせり出し部分に係る突出部面側に球状チップが設けられ、該球状チップが前記凹部に側縁部を挿入した前記スライドプレートの板面に当接し、さらに前記係合部を突出部とし且つ前記被係合部を凹陥部としたことを特徴とするピラーガーニッシュ。
【請求項２】
車両への組付け状態下、前記凹部が前記開口部の両側沿いで上下方向に複数設けられ、それらのうちの最上端凹部と最下端凹部の高さ区間に前記舌片状体が配設される請求項１記載のピラーガーニッシュ。
【請求項３】
前記開口部を形成する両側縁のうち、一側縁から他側縁に向けて延設される舌片状体と、他側縁から一側縁に向けて延設される舌片状体とが、交互に設けられる請求項１又は２に記載のピラーガーニッシュ。
【発明の詳細な説明】
【技術分野】
【０００１】
本発明は自動車のピラーガーニッシュに関する。
【背景技術】
【０００２】
自動車のピラーの車室側には内装飾品たるピラーガーニッシュが設けられ、そこには、シートベルトの上側支点となるシートベルトアンカーが昇降可能に取付けられる場合がある。ピラーガーニッシュ本体に開口部を設け、該開口部を塞いで移動するスライドプレートにシートベルトアンカーを取着して、該シートベルトアンカーを昇降可能とする。例えば、図１２(イ),(ロ)のように、爪ｇ２とピラーガーニッシュ本体ｇの主部ｇ１とで開口部ｇ３側に凹部ｇ４を形成し、スライドプレートｍは、該凹部にその側縁部ｍ２を挿入して、開口部ｇ３を塞いで保持及び摺動できるようにしている。図中、符号ｇ５は側壁部、ｇ７はストッパ、ｍ３はシートベルトアンカーの取着用通孔を示す。
ところが、スライドプレートｍは滑り良くする摺動部品であることから、凹部ｇ４を構成する爪ｇ２との間に隙間δを確保しなければならない。この隙間δが車両走行時に該スライドプレートをガタつかせ、さらに異音を誘発させる不具合を招いた。こうしたことから、斯かる問題を解決する発明がいくつか提案されている(例えば特許文献１、２)。
【先行技術文献】
【特許文献】
【０００３】
【特許文献１】特開２０００−７１８９７公報
【特許文献２】特開２００８−２４７２６８公報
【発明の開示】
【発明が解決しようとする課題】
【０００４】
しかるに、特許文献１のスライドプレートの取付構造は、意匠面側につなぎ部が見えており、外観上問題がある。また、その構成から成形が困難になっている。さらに、特許文献１の図４の説明にあるように、スライドプレートはツメ部に横から挿入する取付け方法に限られる構造になっている。
特許文献２のピラーガーニッシュは、「側壁部から押さえ部を突出させ、この押さえ部にスライドプレートを摺動させる」構成から、スライドプレートはピラーガーニッシュの少なくともどちらか一方の側壁部へ寄せなければならない。形状的に大きな制約があり、また製品が大きくなって重量的に重くなる虞もあった。さらに、「押さえ部にスライドプレートを摺動させる」といっても、硬物同士の摺動であり、異音を抑えるのは依然として難しくなっている。
【０００５】
このように、スライドプレートｍとピラーガーニッシュ本体ｇの爪ｇ２との異音対策は難しく、現実の対策は、スライドプレートｍに不織布ｆを図１３のように巻き込み、異音防止を行ったりもしている。しかし、不織布ｆは僅かではあるが、接着剤で固められた繊維体のため、近年の環境志向にそぐわない。繊維体であるため、僅かながらも吸水し、斯かる場合、スライドプレートｍの作動に少なからず違和感を与える。作動の繰り返しで摩耗することになり、作動力にバラツキが発生し、最終的には不織布ｆの脱落によりガタつきが発生する虞もある。
【０００６】
本発明は、上記問題を解決するもので、環境にも配慮した簡単な構造で、且つ低コストで、異音を確実に抑えることのできるピラーガーニッシュを提供することを目的とする。
【課題を解決するための手段】
【０００７】
上記目的を達成すべく、請求項１に記載の発明の要旨は、ピラーガーニッシュ本体の縦長板状の主部に開口部を設け、且つ該主部の裏面側で、該開口部の両側縁沿いに爪を複数立設して、該爪単独で又は該爪と該主部とで開口部側に凹部を形成する一方、該凹部にスライドプレートの側縁部を挿入して、該スライドプレートが該開口部を塞いで保持され且つ摺動可能とするピラーガーニッシュにおいて、該開口部の開口縁又は該開口部の近くの主部から延設される舌片状体と、該舌片状体の先端部分に設けられる係合部と、該舌片状体の基端に対し、前記開口部側とは反対側の主部裏面域に設けられる被係合部と、を具備し、且つ前記係合部を該被係合部に係止し前記舌片状体を反り返らせ、その反り返った舌片状体の腹部のせり出し部分に係る突出部面側に球状チップが設けられ、該球状チップが前記凹部に側縁部を挿入した前記スライドプレートの板面に当接し、さらに前記係合部を突出部とし且つ前記被係合部を凹陥部としたことを特徴とするピラーガーニッシュにある。
請求項２の発明たるピラーガーニッシュは、請求項１で、車両への組付け状態下、前記凹部が前記開口部の両側沿いで上下方向に複数設けられ、それらのうちの最上端凹部と最下端凹部の高さ区間に前記舌片状体が配設されることを特徴とする。請求項３の発明たるピラーガーニッシュは、請求項１又は２で、開口部を形成する両側縁のうち、一側縁から他側縁に向けて延設される舌片状体と、他側縁から一側縁に向けて延設される舌片状体とが、交互に設けられることを特徴とする。
【発明の効果】
【０００８】
本発明のピラーガーニッシュは、簡単な構造にして低コストを可能にしながら、車両走行時の異音を確実に抑えることができ、さらに環境に優しいばかりか設計の自由度を有しているなど数々の優れた効果を発揮する。
【図面の簡単な説明】
【０００９】
【図１】実施形態１のピラーガーニッシュの参考全体斜視図である。
【図２】図１のピラーガーニッシュ本体の参考斜視図である。
【図３】図１のIV-IV線矢視図である。
【図４】図１のV-V線矢視図である。
【図５】図４に代わるピラーガーニッシュの他態様図である。
【図６】(イ)が図２における舌片状体周りの側面図で、(ロ)が図１における舌片状体周りの側面図である。
【図７】図１〜図６とは異なる本発明の舌片状体を用いたピラーガーニッシュの部分側面図である。
【図８】図７とはまた異なる他態様の舌片状体を用いた参考ピラーガーニッシュの部分側面図である。
【図９】参考形態２で、図６(ロ)に対応するピラーガーニッシュの参考部分説明図である。
【図１０】図９に代わるピラーガーニッシュ本体の参考部分説明図である。
【図１１】(イ)が図９,図１０のピラーガーニッシュ本体の概略裏面図、(ロ)が(イ)と別態様のピラーガーニッシュ本体の概略裏面図である。
【図１２】従来技術の説明図で、(イ)がピラーガーニッシュの正面図、(ロ)が(イ)のIX-IX線矢視図である。
【図１３】従来技術の説明断面図である。
【発明を実施するための形態】
【００１０】
以下、本発明に係るピラーガーニッシュについて詳述する。
（１）実施形態１
図１〜図８はピラーガーニッシュの一形態で、図１がその参考全体斜視図、図２が図１のピラーガーニッシュ本体の斜視図、図３が図１のIV-IV線矢視図、図４が図１のV-V線矢視図、図５が図４に代わるピラーガーニッシュの他態様図、図６は(イ)が図２における舌片状体周りの側面図で、(ロ)が図１における舌片状体周りの側面図である。図７は本発明の舌片状体を用いたピラーガーニッシュの部分側面図で、図６(ロ)に相当する側面図、図８は図７とはまた異なる他態様の舌片状体を用いたピラーガーニッシュの参考部分側面図である。
【００１１】
ピラーガーニッシュＡは合成樹脂製ピラーガーニッシュ本体１と合成樹脂製スライドプレート７とからなり(図１)、該ピラーガーニッシュ本体は主部２と側壁部３と薄肉部４と舌片状体５と係合部５５とを具備する(図２)。
縦長板状の主部２の両側縁から、側壁部３が図３の断面視に見られるように裏面２ｂ側へ逆ハ字状に延設されて、内装飾品としてのピラーガーニッシュ本体１の主要部分が形成される。主部２の中央には、縦長板状の該主部よりも一回り小さな縦長の略長方形の開口部２０が設けられる。また、主部２の裏面２ｂ側で、開口部２０の両側縁沿いに爪２２を複数立設し、爪２２と主部２とで(又は爪２２単独で)開口部２０側に凹部２４が設けられる。この凹部２４にスライドプレート７の側縁部７２を挿入することで、スライドプレート７がピラーガーニッシュ本体１に摺動可能にして、開口部２０を塞いで保持されるピラーガーニッシュＡができる。図中、符号２ａは主部２の表面を示す。
ピラーガーニッシュＡが車両へ組付けられると、図２のピラーガーニッシュ本体１の右下方部がピラーガーニッシュ下部になり、左上方部がピラーガーニッシュ上部になるが、本実施形態のピラーガーニッシュ本体１は開口部２０を挟んで両側沿いの上下方向三地点で、それぞれ爪２２が対向するよう配設される。各爪２２は主部裏面２ｂに起立する立部２２ａとその上端で開口部２０側に屈曲し水平方向に延びる水平部２２ｂとからなる側面視逆Ｌ字形の板片部で、各爪２２が主部２とで開口部２０側に凹部２４を形成する。凹部２４は、車両への組付け状態下、開口部２０の両側沿いで上下方向に三箇所(複数)設けられるが、それらのうちの最上端凹部２４ａと最下端凹部２４ｂの高さ区間に舌片状体５が複数配設される。
【００１２】
舌片状体５は、合成樹脂製板状体で、開口部２０の開口側縁２０ａ又は該開口部２０の近くの主部２から、薄肉部４を介して延設される。ここでの舌片状体５は、図３ごとくの可撓性を有する帯板状にして、その基端部が薄肉部４を介して主部２に一体成形される。図６(イ)はピラーガーニッシュ本体１の成形を終えた段階の舌片状体５を図示するが、舌片状体５は、その帯板状の板面が縦長方向の開口側縁２０ａと平行に保って主部裏面２ｂに垂直起立する。薄肉部４を設けるのは、車両へピラーガーニッシュＡが組付けられると、図６(ロ)のような曲げ変形が舌片状体５に加えられるため、該舌片状体の変形を行い易くするためである。
【００１３】
係合部５５は前記舌片状体５の先端部分５２に設けられる止部で、被係合部２５(後述)に係止して、舌片状体５に図６(ロ)ごとくの曲げ変形が加えられた状態で少なくとも一時的に係止可能な形状とする。本実施形態は舌片状体５の先端に図２のような丸棒状の膨らみを一体形成した係合部５５とする。係合部５５は帯板状の舌片状体５に対し、膨らみある突出部になっている。係合部５５の棒状軸心はピラーガーニッシュ本体１の主部裏面２ｂに平行となる。
被係合部２５は係合部５５を受け止める受部で、舌片状体５の基端に対し、開口部２０側とは反対側の主部裏面域に設けられる。舌片状体５の基端から該被係合部までの距離が、舌片状体５の基端から係合部５５までの距離よりも短く設定される。そうして、係合部５５を該被係合部に係止すると、舌片状体５に曲げ変形を加えた図６(ロ)の状態が保たれる形状とする。詳しくは、開口部２０側に対面する舌片状体５の板面５１とは反対の背面５０側へ舌片状体５を倒し、係合部５５を該被係合部に係止して図６(イ)から図６(ロ)へと舌片状体５を湾状に反り返らせる。舌片状体５に湾状の曲げ変形が加えられ、反り返った舌片状体５の腹部５４のせり出し部分５４ａが、凹部２４に側縁部７２を挿入したスライドプレート７の板面７ａに当接するよう構成する。
【００１４】
本実施形態の被係合部２５は、丸棒状の前記係合部５５が嵌まる凹所２５ａを有する凹陥部である。舌片状体５の基端５３から該被係合部までの距離が、舌片状体５の基端５３から係合部５５までの距離よりも短く設定され、係合部５５の被係合部２５への係止により、舌片状体５の腹部５４のせり出し部分５４ａを図６(ロ)のごとく主部裏面２ｂの上方へ突き出す。そうして、該せり出し部分を、凹部２４に摺動可能に取付けられるスライドプレート７の板面７ａを持ち上げるように当接させている(図３)。舌片状体５の腹部５４のせり出し部分５４ａが、湾曲変形に伴って上方付勢の弾発性を有して、スライドプレート７の板面７ａを持ち上げている。尚、各被係合部２５は各係合部５５の略中間部位を係止できる位置に一箇所設けるが、例えば図１１のように丸棒状の係合部５５を舌片状体５の先端両サイドから突き出し、被係合部２５はその両サイドから突き出る係合部５５の二箇所に係止することもできる。
【００１５】
スライドプレート７は縦長の板状体で、既述のごとくその両側縁部７２が前記凹部２４に挿入され、開口部２０を塞いで保持され且つピラーガーニッシュ本体１に摺動可能に取付けられる。
本実施形態のスライドプレート７は、長手方向の断面形状が略等しい縦長形状品である。具体的には、図１のごとく開口部２０を塞ぐ矩形主要部７１と該主要部７１の両側縁から立ち上がり部分の立壁部７５と該立壁部の上縁から水平両外方に延びる板状側縁部７２とからなる。係合部５５を被係合部２５に係止し舌片状体５を反り返らせた状態下、スライドプレート７の両側縁部７２が凹部２４に挿入されてピラーガーニッシュが出来上がると、舌片状体５のせり出し部分５４ａの弾性復元で、該舌片状体がスライドプレート側縁部７２の板面７ａに当接する。スライドプレート主要部７１の長手方向長さは、開口部２０の長手方向の長さよりも長い。従って、スライドプレート７が、ピラーガーニッシュ本体１に図１の実線状態から鎖線状態へと摺動可能に取付けられるが、開口部２０は常時、該スライドプレートで塞がれたままになる。
尚、図示を省略するが、主部裏面２ｂには図１の実線で示したスライドプレート７近くにそれ以上の上動を阻止するストッパが設けられ、また鎖線で示したスライドプレート７近くにもそれ以上の下動を阻止するストッパが設けられる。
【００１６】
ところで、スライドプレート７は滑り良くする摺動部品であることから、凹部２４を構成する爪２２との間に通常、隙間εが確保される。本ピラーガーニッシュＡでは、舌片状体５腹部５４のせり出し部分５４ａが曲げ変形に伴う弾性付勢でスライドプレート７を浮上させ、爪２２の水平部２２ｂに当接させるため(図３,図４)、スライドプレート７と爪２２との間の隙間εは無くなり、スライドプレート７と主部裏面２ｂとの間に隙間εが形成される(図４,図６)。スライドプレート７の摺動部品としての隙間εは、曲げ変形でクッション性を有する舌片状体５が埋める格好になる。符号７３はシートベルトアンカー(図示せず)をスライドプレート７に取着するための通孔７３を示す。
【００１７】
図５は図４の爪２２に代わる他態様品で、板状リブからなる爪２３を示している。板状リブが側壁部３の壁面に直交し且つ該側壁部から開口部２０へ向けて起立状態で延出し、その開口側にコ字形凹部２４が切欠かかれている。スライドプレート７は、図５の矢印のごとく可撓性を有する側壁部３を外方へ倒すようにして上方から板状リブ上を滑って凹部２４に挿入される。板状リブからなる爪２３は、図１〜図４の爪２２と違って、単独で凹部２４を形成するだけでなく、板状リブが補強用リブとして機能する。
【００１８】
図７は図１〜図６とはまた異なる他態様の球状チップ６付き舌片状体５の説明図である。ピラーガーニッシュ本体１には、球状チップ６が舌片状体５に係るせり出し部分５４ａのせり出し面側に一体的に設けられる。係合部５５を被係合部２５に係止し舌片状体５を反り返らせると、凹部２４に取付けたスライドプレート７の板面７ａに球状チップ６が当接するようにしている。舌片状体５のせり出し部分５４ａで弾性付勢を受けた球状チップ６が、スライドプレート７の板面７ａに点接触で当接するので、該スライドプレートの摺動性が一段と良くなる。
また、図８は図１〜図７で示された係合部５５,被係合部２５と違った他態様の係合部５５,被係合部２５の説明図で、図８(イ)が図６(イ)に対応し、図８(ロ)が図６(ロ)に対応する図になっている。図８の係合部５５は、舌片状体５の先端部分５２の上縁中央部位から突出する剣尻体で、一方、被係合部２５は剣尻体５５ａを挿通しこれを係止できる透孔２５ｂが形成された受部になっている。舌片状体５の基端５３から被係合部２５までの距離を、舌片状体５の基端５３から係合部５５までの距離よりも短くし、帯板状の舌片状体５を開口部２０に面する側とは反対側の背面５０の方へ反り返らせて、該舌片状体の腹部５４のせり出し部分５４ａを図８(ロ)のごとく主部裏面２ｂの上方に突き出す。
【００１９】
次に、前記ピラーガーニッシュ本体１への前記スライドプレート７の組付け方法を説明する。
まず、ピラーガーニッシュ本体１の各舌片状体５を開口部２０側とは反対の背面５０側へ倒し、舌片状体５の先端部分５２に設けた係合部５５を被係合部２５に係止する。この係止で、舌片状体５の反り返った舌片状体５の腹部５４のせり出し部分５４ａが主部裏面２ｂの上方へ突き出る。次に、凹部２４にスライドプレート７を挿入するが、このままではせり出し部分５４ａに干渉し突き当たってしまう。そこで、該せり出し部分を主部裏面２ｂ側へ押し沈めつつ、その後、各爪２２の水平部２２ｂの下にスライドプレート７の側縁部７２を差し入れるようにして、各凹部２４にスライドプレート７を挿入していく。これで、図１のようにピラーガーニッシュ本体１へのスライドプレート７の組付けが完了し、所望のピラーガーニッシュＡが出来上がる。
また、図５のようなピラーガーニッシュ本体１にあっては、まず、上述の舌片状体５と同様、その先端部分５２に設けた係合部５５を被係合部２５に係止する。この係止により、舌片状体５の反り返った腹部５４のせり出し部分５４ａが主部裏面２ｂの上方へ突き出す。次に、両側壁部３を図５の矢印のごとく外方へ広げて、主部２の上方からリブからなる爪２３上を滑らせて、スライドプレート７を凹部２４に挿入する。図５のピラーガーニッシュ本体１の場合は、スライドプレート７自身が上方からせり出し部分５４ａを押さえ込んでこれに当接するため、せり出し部分５４ａを主部裏面２ｂ側へ押し沈める前処理動作はいらない。これで、ピラーガーニッシュ本体１へのスライドプレート７の組付けが完了し、所望のピラーガーニッシュＡが出来上がる。
【００２０】
（２）参考形態２
図９〜図１１は図１〜図８のピラーガーニッシュとは別形態で、図９が図６(ロ)に対応するピラーガーニッシュＡの参考部分説明図、図１０が図９に代わるピラーガーニッシュ本体の参考部分説明図、図１１は(イ)が図９,図１０のピラーガーニッシュ本体の概略裏面図、(ロ)が(イ)と別態様のピラーガーニッシュ本体の概略裏面図である。
【００２１】
実施形態１のピラーガーニッシュ本体１は、舌片状体５が開口部２０の近くの主部裏面２ｂから薄肉部４を介して延設されたが、参考形態２のピラーガーニッシュ本体１は、舌片状体５が図９のごとく主部２に設けた開口部２０の開口側縁２０ａから薄肉部４を介して開口部２０中央へ向けて延設される。また、実施形態１は、ピラーガーニッシュＡになったとき、スライドプレート７の主要部７１が開口部近く２１の主部裏面２ｂ上に在ったが、ここでは、主要部７１の板面幅を開口部２０より若干小さくして図９のごとく開口部２０内に入り込ませる。係合部５５,被係合部２５の基本構成は図１〜図６のものと同じくするが、図９の被係合部２５の凹所２５ａの導入部は、その間口ｔを係合部５５の軸径Ｔよりも狭めて受部としての係止機能を高めている。
【００２２】
ピラーガーニッシュＡは、図９のように、スライドプレート主要部を開口部２０内に入り込ませ、さらに図１０のごとくの突部２７を設けるのがより好ましい。車両組付け後のピラーガーニッシュＡを意匠面側から見たとき、主要部７１さらに突部２７で舌片状体５が隠れて、見栄えが向上するからである。前記突部２７は図１０の金型スライド８を用いて容易に成形できる。
【００２３】
ところで、開口部２０の幅Ｗ１が大きい場合は、両舌片状体５が図１１(イ)のごとく開口部２０の両側縁２０ａから互いに向かい合う形で開口部２０中央方向へ延設形成できる。係合部５５を被係合部２５に係止し舌片状体５を反り返らせることにより、その反り返った腹部５４のせり出し部分５４ａが、凹部２４に取り付けたスライドプレート７の板面７ａに当接できればよいからである。一方、開口部２０の幅Ｗ１が小さくて、舌片状体５の基端５３から先端部分５２までの長さが十分確保できない場合がある。斯かる場合は、図１１(ロ)のごとく開口部２０を形成する両側縁２０ａ,２０ａのうち、一側縁から薄肉部４を介して他側縁に向けて延設される舌片状体５と、他側縁から薄肉部４を介して一側縁に向けて延設される舌片状体５とを交互に形成する。これで、舌片状体５の基端５３から係合部５５までの距離が十分確保でき、せり出し部分５４ａがつくられるようになる。
参考形態２の薄肉部４は、一般部より板厚を薄く設定した部位を成形直後の温かい状態時に表裏に屈曲させて、その後に固化した後、その部分をヒンジとして使用した際、断裂しにくくしたもの（いわゆるインテグラルヒンジ）になっている。図１１のピラーガーニッシュＡは、係合部５５が舌片状体５の先端部分５２の両側に張出し、両側に張出した係合部分を係止する被係合部２５がそれぞれ設けられる。他の構成は実施形態１と同様で、その説明を省く。図中、実施形態１と同一符号は同一又は相当部分を示す。
【００２４】
このように構成したピラーガーニッシュＡは、ピラーガーニッシュ本体１へのスライドプレート７の組付けが完了し、ピラーガーニッシュＡが出来上がると、せり出し部分５４ａがその弾性付勢でスライドプレート７を持ち上げ、隙間εを埋めてスライドプレート７を爪２２の水平部２２ｂに当接する。そのため、車両走行時のスライドプレート７のガタつきや異音を誘発させる不具合は解消する。
その一方で、スライドプレート７を凹部２４に装着して摺動させる場合、舌片状体５のせり出し部分５４ａが弾発力でスライドプレート７を持ち上げているため、せり出し部分５４ａの張り出し具合を弾性変形で調整し、ピラーガーニッシュ本体１に対するスライドプレート７の摺動を円滑且つ容易に行える。
【００２５】
そして、斯かるスライドプレート７の円滑な摺動確保及び車両走行時のスライドプレート７のガタつきや異音発生の不具合解消は、特許文献２の側壁部３から突出する押さえ部とは違って、舌片状体５,薄肉部４,係合部５５,被係合部２５の構成要素に基づくので、ピラーガーニッシュＡを造るうえでの形状的な制約がない。設計の自由度が高まる。また、製品が重量的に重くなる特許文献２のピラーガーニッシュＡと違って、その構成要素も小さくなり且つシンプルで軽量化できる。さらに、特許文献２のピラーガーニッシュＡは、「押さえ部にスライドプレート７を摺動させる」といっても、硬物同士の摺動であり、異音を抑えるのはなかなか難しいが、本ピラーガーニッシュＡは、スライドプレート７の摺動時に、せり出し部分５４ａのせり出し度合いをその弾性変形で調整するので、異音が確実に抑えられる。前記球状チップ６を設ければ、せり出し部分５４ａに球状チップ６の点接触を介してスライドプレート７を摺動させることになり、異音はより確実に抑えられる。
【００２６】
また、本ピラーガーニッシュＡは特許文献１のものに比べ、その構成から樹脂成形が容易になる。これに伴い低コスト化が図られる。さらにいえば、本ピラーガーニッシュＡは、特許文献１のスライドプレート７のようにツメ部に横から挿入する取付け方法に限ることなく、図５のごとく可撓性を有する側壁部３を矢印方向に広げて、上方からピラーガーニッシュ本体１を凹部２４に摺動自在に挿着することもでき、設計の自由度が広がる構造にもなっている。
加えて、特許文献１と同様、薄肉部４が設けられるが、実施形態１の薄肉部４は開口部近く２１の主部裏面２ｂから薄肉部４を介して延設される舌片状体５になっており、ピラーガーニッシュＡが車両に組付けられると意匠面側から薄肉部４が隠れるので、品質的にも優れた構造になっている。また、参考形態２の開口部２０の開口側縁２０ａから薄肉部４を介して延設される舌片状体５でも、突部２７を設けることで、意匠面側から薄肉部４が簡単に隠れる構造にでき優れものになっている。
【００２７】
また、本ピラーガーニッシュＡは既述のごとく不織布等を用いる構成でもないので、接着剤等を必要とせず、近年の環境志向にマッチする。さらに不織布を用いた場合、その吸水性に伴う作動時の違和感、磨耗に伴うバラツキ、最終的に不織布の脱落によるガタツキ発生の問題などがあるが、本ピラーガーニッシュＡはそもそも不織布を用いないのでこうした問題も起らない。
かくのごとく、本ピラーガーニッシュＡは上述した数々の効果を発揮し極めて有益である。
【００２８】
尚、本発明においては前記実施形態に示すものに限られず、目的,用途に応じて本発明の範囲で種々変更できる。例えば、ピラーガーニッシュ本体１,主部２,側壁部３,薄肉部４,舌片状体５,球状チップ６,スライドプレート７,係合部５５,被係合部２５等の形状,大きさ,個数,材質等は用途に合わせて適宜選択できる。実施例においては、開口縁２０ａ又は開口部２０近くの主部２から薄肉部４を介して舌片状体５を延設したが、薄肉部４を設けずに、舌片状体５を薄くしたり、柔軟な材料を使用して、曲げ変形を加えられるようにしてもよい。
【符号の説明】
【００２９】
１              ピラーガーニッシュ本体
２              主部
２ｂ            裏面（主部裏面）
２０            開口部
２０ａ          開口部の開口縁(開口側縁,開口部を形成する側縁)
２２            爪
２３            爪（リブからなる爪）
２４            凹部
２５            被係合部
４              薄肉部
５              舌片状体
５３            基端
５４            腹部
５４ａ          せり出し部分
５５            係合部
７              スライドプレート
７２            側縁部
【図１】
0005403672.tif 000002
【図２】
0005403672.tif 000003
【図３】
0005403672.tif 000004
【図４】
0005403672.tif 000005
【図５】
0005403672.tif 000006
【図６】
0005403672.tif 000007
【図７】
0005403672.tif 000008
【図８】
0005403672.tif 000009
【図９】
0005403672.tif 000010
【図１０】
0005403672.tif 000011
【図１１】
0005403672.tif 000012
【図１２】
0005403672.tif 000013
【図１３】
0005403672.tif 000014